(57)【要約】【課題】細長い容器でも乾燥が短時間で行うことができ、温風スタンドのセットが容易で、乾燥能力を向上させることができる食器乾燥器を提供する。【解決手段】本食器乾燥器は、食器かご上には細長い容器を乾燥するため、その内部に温風を送るための中空状の空間を有する温風スタンドを設け、この温風スタンドは、この温風スタンドの下部に本体に設けた温風吹出口からの温風の方向を変える風向変更部を設け、温風吹出口からほぼ水平方向に吹出される温風を風向変更部によりほぼ垂直方向に変更させて、温風スタンドの上部に設けた温風流出口から温風を流出させる。【選択図】  図２
2008259759.tif 000002
【特許請求の範囲】
【請求項１】
本体と、
この本体上に設けられ、食器かごに載置される食器類を収納するケースと、
このケースに温風を供給する温風供給装置を備えた食器乾燥器において、
前記食器かご上には内部に温風を送るための中空状の空間を有する温風スタンドを設け、
この温風スタンドは、この温風スタンドの下部に前記本体に設けた温風吹出口からの温風の方向を変える風向変更部を設け、前記温風吹出口からほぼ水平方向に吹出される温風を前記風向変更部によりほぼ垂直方向に変更させて、前記温風スタンドの上部に設けた温風流出口から温風を流出させることを特徴とする食器乾燥器。
【請求項２】
前記温風スタンドは、この温風スタンドの下部で食器かごに着脱自在に係合し、固定されることを特徴とする請求項１に記載の食器乾燥器。
【請求項３】
前記温風スタンドは、この温風スタンドの下部で食器かごの線材に着脱自在に係合し、固定されることを特徴とする請求項２に記載の食器乾燥器。
【請求項４】
前記温風スタンドの下部に設ける一対の係合部間の距離は、食器かごの線材間ピッチの整数倍であることを特徴とする請求項３に記載の食器乾燥器。
【発明の詳細な説明】
【技術分野】
【０００１】
本発明は食器乾燥器に係り、特に、コップや哺乳瓶などの細長い容器であっても短時聞で十分に乾燥できる温風スタンドの構造を改良した食器乾燥器に関する。
【背景技術】
【０００２】
従来、食器類を温風乾燥させる温風供給装置を備えた食器乾燥器は、細長い容器を乾燥するための温風スタンドが食器かごに着脱自在に立設され、容器内部に温風を送る温風スタンドと食器かごに着脱自在に取付けられ、一側が温風吹出口に対向して開口し、他側が温風スタンドの温風取入口に対向して開口するダクトより構成されている（例えば、特許文献１参照）。
【０００３】
しかし、特許文献１のものは、温風スタンドを使用する際に、食器かご内の食器類をダクトがセットされる部分のものまで取り除かないとセットしにくい点やスタンドとダクトの温風路の接続ずれが生じ乾燥能力が低下するおそれがあり、改善の余地がある。
【０００４】
また、食器かごの底面に中空パイブ状のびん立てを着脱自在に装着し、このびん立ての上端には、被乾燥物底面との間で通気路を形成するための突出部を突設した構成の食器乾燥器が提案されているが、ヒータからの熱気の上昇気流だけではビン類内部を流れる空気流が弱く、乾燥時間を長く要する問題がある（例えば、特許文献２参照）。
【特許文献１】特開２００６−２９６９６４号公報
【特許文献２】実開昭６２−６４４６４号公報
【発明の開示】
【発明が解決しようとする課題】
【０００５】
本発明は上述した事情を考慮してなされたもので、細長い容器でも乾燥が短時間で行うことができ、温風スタンドのセットが容易で、乾燥能力を向上させることができる食器乾燥器を提供することを目的とする。
【課題を解決するための手段】
【０００６】
上述した目的を達成するため、本発明に係る食器乾燥器は、本体と、この本体上に設けられ、食器かごに載置される食器類を収納するケースと、このケースに温風を供給する温風供給装置を備えた食器乾燥器において、前記食器かご上には内部に温風を送るための中空状の空間を有する温風スタンドを設け、この温風スタンドは、この温風スタンドの下部に前記本体に設けた温風吹出口からの温風の方向を変える風向変更部を設け、前記温風吹出口からほぼ水平方向に吹出される温風を前記風向変更部によりほぼ垂直方向に変更させて、前記温風スタンドの上部に設けた温風流出口から温風を流出させることを特徴とする。
【発明の効果】
【０００７】
本発明に係る食器乾燥器によれば、細長い容器でも乾燥が短時間で行うことができ、温風スタンドのセットが容易で、乾燥能力を向上させることができる食器乾燥器を提供することができる。
【発明を実施するための最良の形態】
【０００８】
本発明の一実施形態に係る食器乾燥器について添付図面を参照して説明する。
【０００９】
図１は本発明に係る食器乾燥器の蓋体を開けた状態での正面図であり、図２はその側面断面図、図３はシンク及び食器かごを除去して示すその平面図である。
【００１０】
図１〜図３に示すように、本発明に係る食器乾燥器１は、本体２と、この本体２上に設けられ、食器かご３に載置された食器類（図示せず）を収納するケース４と、このケース４に温風を供給する温風供給装置５を備え、食器かご３上には細長い容器を乾燥する温風スタンド６が取付けられる。
【００１１】
本体２は不透明合成樹脂製で扁平矩容器状をなし、その内部には、温風供給装置５が収納され、この温風供給装置５はファン７ａとモータ７ｂからなる送風機７と、この送風機７に通風路８を介して連通されるヒータ９からなり、本体２の底部に設けられた空気吸込口１０から吸込まれた空気を加熱して、本体２後面側に設けた温風吹出口１１からケース４に吹出す。
【００１２】
また、ケース４は空気排出口４ｃ１が設けられ、ケースの一部を構成するように膨出する透明合成樹脂製の固定ケース部４ａに、ケースの一部を構成するように膨出する透明合成樹脂製の前面蓋体４ｂ、中間蓋体４ｃが、ヒンジ４ｄを介して回動自在に軸支されて形成されている。なお、本実施形態ではケースを固定ケース部と前面蓋体、中間蓋体で形成する例で説明したが、蓋体の分割数は特に限定されず、また、中間蓋体ケースは一体形状のものであってもよい。
【００１３】
さらに、温風吹出口１１の前方近傍には風向制御用立上１１ａが複数個横方向に並んで立設される。
【００１４】
本体２の上部開口部には食器類から落ちる水滴などを受けるステンレス製のシンク１２が設けられており、さらに、このシンク１２には食器かご３が脚部３ａを当接させることで載置されている。
【００１５】
図４に示すように、この食器かご３はステンレス製で、太めの線材からなるかご枠３ａに、所定の間隔を設けて網状かつかご状に形成するように変形線材３ｂと直線線材３ｃを多数取付け、さらに、１本の折曲線材３ｄを取付けて形成される。
【００１６】
食器かご３上のほぼ中央部かつ本体２後面側には、温風スタンド６が着脱自在に取付けられる。
【００１７】
図５〜図８に示すように、温風スタンド６はリング状の基部６ａを備え、この基部６ａの上表面には、上部に設けた温風流出口６ｂを設けたスタンド６ｃが立設され、また、基部６ａの上表面には、倒立状態の細長い容器の開口端面を支持し、スタンド６ｃを囲うように複数状のリブ６ａ１が放射状に立設される。さらに、基部６ａの下表面側には、温風スタンド６の空間内への温度を取り入れる温風取入口６ｄ及び風向変更部６ｅを設け、温風吹出口１１からほぼ水平方向に吹出される温風を風向変更部６ｅによりほぼ垂直方向に変更させて、温風スタンド６ｃの上部に設け、周囲に支持部６ｂ１を設けた温風流出口６ｂから温風を流出させる。風向変更部６ｅは温風取入口６ｄが形成されるように、好ましくは例えば温風吹出口側に開放したほぼＵ字形状をなし、スタンド６ｃと一体あるいは一体的に設けられる。
【００１８】
なお、風向変更部６ｅには食器かご３への取付け時、水平に延びる直線線材３ｃに上方から挿入される２条のスリット６ｅ１が設けられる。
【００１９】
また、基部６ａには、この基部６ａから突出するＶ字形状の一対の係合部６ｆが基部６ａの直径の延長線上に設けられ、この係合部６ｆは合成樹脂の弾性を利用し、係合突起６ｆ１を有する。係合部６ｆが食器かご３のほぼ中央で本体２後面側の温風吹出口１１近傍の２本の直線線材３ｃ間に係合する。
【００２０】
一対の係合部６ｆ間の距離ｌは、直線線材３ｃ間のピッチｐの整数倍例えば７倍になっているので、一対の係合部６ｆを容易かつ確実に直線線材３ｃ間に係合させることができ、また、変形線材３ｂ及び折曲線材３ｄ部分には、一対の係合部６ｆが係合できないので、温風スタンド６を温風吹出出口１１から離間した位置に取付けることがなく、温風吹出口１１からの温風を温風取入口６ｄから確実に取入れることができる。温風スタンドは直線線材のピッチが整数倍の領域である温風吹出口に対向する任意の位置に設置することができる。
【００２１】
なお、図中符号１３は本体２に着脱自在に挿入されシンク１２から落下する水を受ける水受けカップであり、符号１４はシンク１２が載置される合成樹脂製の仕切板である。
【００２２】
本実施形態の食器乾燥器は、上記構造を有するので、温風スタンドの使用時には、図１及び図４に示すように、温風スタンド６の取付け可能な位置すなわち温風流出口６ｂに近接した位置の線材３ｃに係合部６ｆを係合させ、温風スタンド６を食器かご３に取付ける。なお、温風スタンド６の取外し時は、図６に示す係合部６ｆのスプリングバックの力に抗して、係合部６ｆを内方に変形させて、線材３ｃとの係合を解除して、取外す。
【００２３】
温風スタンド６の食器かご３への取付時、スタンド６ｃに風向変更部６ｅを一体あるいは一体的に設けるので、従来のようにダクトがなく、このダクトをセットする部分の食器類まで取除く必要がなく、温風スタンドをセットしやすく、スタンドとダクトの温風路の接続ずれが生じることもなく、乾燥能力を低下させることもほとんどない。
【００２４】
温風スタンド６の取付け完了後、図２に示すように、倒立状態の細長い容器例えば哺乳ビンＶ１にスタンド６ｃを挿入し、開口端面をリブ６ａ１で支持させて、基部６ａ上に載置する。このとき、支持部６ｂ１は哺乳ビンＶ１の底面には接触していないが、温風流出口６ｂは、哺乳ビンＶ１の上部に達している。
【００２５】
温風供給装置５を作動させて、空気吸込口１０から吸い込まれた空気を加熱して、温風吹出口１１からケース４に吹出し、食器類を乾燥させる。
【００２６】
一方、温風取入口６ｄを介して取入れられた水平方向に流れる温風は、ほぼＵ字形状の風向変更部６ｅで垂直方向に風向変更され、細長い哺乳ビンＶ１の底面にまで達して、底面を含む哺乳ビンＶの内部を迅速かつ確実に乾燥する。このとき、哺乳ビンＶ１から水滴がたれることがあっても、傾斜する基部６ａを介してシンク１２に導かれる。
【００２７】
また、図２に示すように、比較的短い小型の哺乳ビンＶ２を乾燥する場合には、この哺乳ビンＶ２は、スタンド６ｃの支持部６ｂ１で支持され、その支持がビン底面と線接触であるので、底部も確実に乾燥することができる。
【００２８】
上述した本実施形態の食器乾燥器によれば、細長い容器でも乾燥が短時間で行うことができ、温風スタンドのセットが容易で、乾燥能力を向上させることができる食器乾燥器が実現する。
【図面の簡単な説明】
【００２９】
【図１】本発明の食器乾燥器の蓋体を開けた状態を示す正面図。
【図２】本発明の食器乾燥器の側面断面図。
【図３】本発明の食器乾燥器のシンク及び食器かごを除去して示す平面図。
【図４】本発明の食器乾燥器に用いる温風スタンドを取付けた食器かごの平面図。
【図５】本発明の食器乾燥器に用いるスタンドの平面図。
【図６】本発明の食器乾燥器に用いるスタンドの側面図。
【図７】本発明の食器乾燥器に用いる温風スタンドの底面図。
【図８】本発明の食器乾燥器に用いる温風スタンドの縦断面図。
【符号の説明】
【００３０】
１  食器乾燥器
２  本体
３  食器かご
３ａ  かご枠
３ｃ  直線線材
４  ケース
５  温風供給装置
６  温風スタンド
６ａ  基部
６ｂ  温風流出口
６ｂ１  支持部
６ｃ  スタンド
６ｄ  温風取入口
６ｅ  風向変更部
６ｆ  係合部
７  送風機
８  通風路
９  ヒータ
１０  空気吸込口
１１  温風吹出口
【図１】
2008259759.tif 000003
【図２】
2008259759.tif 000004
【図３】
2008259759.tif 000005
【図４】
2008259759.tif 000006
【図５】
2008259759.tif 000007
【図６】
2008259759.tif 000008
【図７】
2008259759.tif 000009
【図８】
2008259759.tif 000010